【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
被写体の画像を撮影する撮影手段と、
前記撮影手段により撮影された撮影画像を表示する表示手段と、
前記撮影画像から前記被写体の人物の顔を検出する顔検出手段と、
ユーザが手動により露出を制御するマニュアルモードと、露出を自動的に制御する他のモードとの間で撮影モードを切り替える撮影モード切替手段と、
前記撮影モードがマニュアルモードに設定されているときに、前記撮影画像から顔が検出された場合に、前記検出された顔の情報に基づいて露出演算を行って露出を制御する露出制御手段と、
前記露出演算の結果に基づいて前記表示手段の表示を制御する表示制御手段であって、マニュアル設定から得られる露出と、前記顔に合わせた適正露出との差を表示するための露出インジケータを前記表示手段に表示する表示制御手段と、
を備えることを特徴とする撮影装置。
【請求項２】
前記露出制御手段は、前記露出演算の結果に基づいてスルー画撮影時の露出を制御することを特徴とする請求項１記載の撮影装置。
【請求項３】
前記表示制御手段は、前記顔検出手段によって複数の顔が検出された場合に、前記露出演算に用いる顔を強調する表示を行うことを特徴とする請求項１又は２記載の撮影装置。
【請求項４】
前記露出制御手段は、前記顔検出手段によって複数の顔が検出された場合に、サイズが最大の顔、画像の中心からの距離が最小の顔、または顔らしさの評価値が最高値の顔に合わせて露出演算を行うことを特徴とする請求項１から３のいずれか１項記載の撮影装置。
【請求項５】
前記表示制御手段は、前記撮影モードが他のモードに設定されているときに、前記顔検出手段により検出された顔を強調する表示、または、表示画面における顔の位置を明確にする表示を行い、前記撮影モードがマニュアルモードに設定されているときに、前記顔検出手段により検出された顔を強調する表示、または、表示画面における顔の位置を明確にする表示を行わないことを特徴とする請求項１から４のいずれか１項記載の撮影装置。
【請求項６】
前記顔検出手段による顔検出処理のオン／オフを設定する顔検出制御手段を更に備えることを特徴とする請求項１から５のいずれか１項記載の撮影装置。
【請求項７】
被写体の画像を撮影する撮影工程と、
前記撮影された撮影画像を表示手段に表示する表示工程と、
前記撮影画像から前記被写体の人物の顔を検出する顔検出工程と、
ユーザが手動により露出を制御するマニュアルモードと、露出を自動的に制御する他のモードとの間で撮影モードを切り替える撮影モード切替工程と、
前記撮影モードがマニュアルモードに設定されているときに、前記撮影画像から顔が検出された場合に、前記検出された顔の情報に基づいて露出演算を行って露出を制御する露出制御工程と、
前記露出演算の結果に基づいて前記表示手段の表示を制御するとともに、マニュアル設定から得られる露出と、前記顔に合わせた適正露出との差を表示するための露出インジケータを前記表示手段に表示する表示制御工程と、
を備えることを特徴とする露出制御方法。
【請求項８】
前記露出制御工程は、前記露出演算の結果に基づいてスルー画撮影時の露出を制御することを特徴とする請求項７記載の露出制御方法。
【請求項９】
前記表示制御工程では、前記撮影モードが他のモードに設定されているときに、前記顔検出手段により検出された顔を強調する表示、または、表示画面における顔の位置を明確にする表示を行い、前記撮影モードがマニュアルモードに設定されているときに、前記顔検出手段により検出された顔を強調する表示、または、表示画面における顔の位置を明確にする表示を行わないことを特徴とする請求項７又は８記載の露出制御方法。
【請求項１０】
前記顔検出工程における顔検出処理のオン／オフを設定する顔検出制御工程を更に備えることを特徴とする請求項７から９のいずれか１項記載の露出制御方法。
【手続補正２】
【補正対象書類名】明細書
【補正対象項目名】０００５
【補正方法】変更
【補正の内容】
【０００５】
上記課題を解決するために、本発明の第１の態様に係る撮影装置は、被写体の画像を撮影する撮影手段と、前記撮影手段により撮影された撮影画像を表示する表示手段と、前記撮影画像から前記被写体の人物の顔を検出する顔検出手段と、ユーザが手動により露出を制御するマニュアルモードと、露出を自動的に制御する他のモードとの間で撮影モードを切り替える撮影モード切替手段と、前記撮影モードがマニュアルモードに設定されているときに、前記撮影画像から顔が検出された場合に、前記検出された顔の情報に基づいて露出演算を行って露出を制御する露出制御手段と、前記露出演算の結果に基づいて前記表示手段の表示を制御する表示制御手段であって、マニュアル設定から得られる露出と、前記顔に合わせた適正露出との差を表示するための露出インジケータを前記表示手段に表示する表示制御手段とを備えることを特徴とする。
【手続補正３】
【補正対象書類名】明細書
【補正対象項目名】０００６
【補正方法】変更
【補正の内容】
【０００６】
上記第１の態様によれば、マニュアルモード時に、顔領域にあわせた露出制御を行って表示手段の表示を制御することができる。更に、上記第１の態様によれば、マニュアルモード時に、マニュアルで設定されたシャッター速度と絞り値から得られる露出と、被写体の顔に合わせた適正露出との差を示す露出インジケータを使用することにより、マニュアルモード時であっても被写体の顔に合わせた露出を行うことができる。
【手続補正４】
【補正対象書類名】明細書
【補正対象項目名】０００７
【補正方法】変更
【補正の内容】
【０００７】
本発明の第２の態様に係る撮影装置は、上記第１の態様において、前記露出制御手段は、前記露出演算の結果に基づいてスルー画撮影時の露出を制御することを特徴とする。
【手続補正５】
【補正対象書類名】明細書
【補正対象項目名】０００８
【補正方法】変更
【補正の内容】
【０００８】
上記第２の態様によれば、マニュアルモード時に、顔領域にあわせた露出制御を行ってスルー画表示を行うことにより、顔領域を適正な露出制御の下で確認しながらフレーミングを行うことができる。
【手続補正６】
【補正対象書類名】明細書
【補正対象項目名】０００９
【補正方法】変更
【補正の内容】
【０００９】
本発明の第３の態様に係る撮影装置は、上記第１又は第２の態様において、前記表示制御手段は、前記顔検出手段によって複数の顔が検出された場合に、前記露出演算に用いる顔を強調する表示を行うことを特徴とする。
【手続補正７】
【補正対象書類名】明細書
【補正対象項目名】００１０
【補正方法】変更
【補正の内容】
【００１０】
本発明の第４の態様に係る撮影装置は、上記第１から第３の態様において、前記露出制御手段は、前記顔検出手段によって複数の顔が検出された場合に、サイズが最大の顔、画像の中心からの距離が最小の顔、または顔らしさの評価値が最高値の顔に合わせて露出演算を行うことを特徴とする。
【手続補正８】
【補正対象書類名】明細書
【補正対象項目名】００１１
【補正方法】変更
【補正の内容】
【００１１】
本発明の第５の態様に係る撮影装置は、上記第１から第４の態様において、前記表示制御手段は、前記撮影モードが他のモードに設定されているときに、前記顔検出手段により検出された顔を強調する表示、または、表示画面における顔の位置を明確にする表示を行い、前記撮影モードがマニュアルモードに設定されているときに、前記顔検出手段により検出された顔を強調する表示、または、表示画面における顔の位置を明確にする表示を行わないことを特徴とする。
【手続補正９】
【補正対象書類名】明細書
【補正対象項目名】００１３
【補正方法】変更
【補正の内容】
【００１３】
本発明の第６の態様に係る撮影装置は、上記第１から第５の態様において、前記顔検出手段による顔検出処理のオン／オフを設定する顔検出制御手段を更に備えることを特徴とする。
【手続補正１０】
【補正対象書類名】明細書
【補正対象項目名】００１４
【補正方法】変更
【補正の内容】
【００１４】
上記第６の態様によれば、顔検出のオン／オフを制御して、マニュアルモード時に顔検出に基づく露出制御を行うかどうかを選択できる。
【手続補正１１】
【補正対象書類名】明細書
【補正対象項目名】００１５
【補正方法】変更
【補正の内容】
【００１５】
本発明の第７の態様に係る露出制御方法は、被写体の画像を撮影する撮影工程と、前記撮影された撮影画像を表示手段に表示する表示工程と、前記撮影画像から前記被写体の人物の顔を検出する顔検出工程と、ユーザが手動により露出を制御するマニュアルモードと、露出を自動的に制御する他のモードとの間で撮影モードを切り替える撮影モード切替工程と、前記撮影モードがマニュアルモードに設定されているときに、前記撮影画像から顔が検出された場合に、前記検出された顔の情報に基づいて露出演算を行って露出を制御する露出制御工程と、前記露出演算の結果に基づいて前記表示手段の表示を制御するとともに、マニュアル設定から得られる露出と、前記顔に合わせた適正露出との差を表示するための露出インジケータを前記表示手段に表示する表示制御工程とを備えることを特徴とする。
【手続補正１２】
【補正対象書類名】明細書
【補正対象項目名】００１６
【補正方法】変更
【補正の内容】
【００１６】
本発明の第８の態様に係る露出制御方法は、上記第７の態様において、前記露出制御工程は、前記露出演算の結果に基づいてスルー画撮影時の露出を制御することを特徴とする。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
本発明の第９の態様に係る露出制御方法は、上記第７又は第８の態様において、前記表示制御工程では、前記撮影モードが他のモードに設定されているときに、前記顔検出手段により検出された顔を強調する表示、または、表示画面における顔の位置を明確にする表示を行い、前記撮影モードがマニュアルモードに設定されているときに、前記顔検出手段により検出された顔を強調する表示、または、表示画面における顔の位置を明確にする表示を行わないことを特徴とする。
【手続補正１５】
【補正対象書類名】明細書
【補正対象項目名】００１９
【補正方法】変更
【補正の内容】
【００１９】
本発明の第１０の態様に係る露出制御方法は、上記第７から第９の態様において、前記顔検出工程における顔検出処理のオン／オフを設定する顔検出制御工程を更に備えることを特徴とする。